(57)【要約】      （修正有）【課題】大型化（広範囲化）及び湾曲化した払拭面であっても当該払拭面へのワイパブレードの適正な接触状態が得られるワイパ装置を得る。【解決手段】ワイパ装置１０は、メインアーム１２、サブアーム２６、及びワイパブレード４０を備えたパンタグラフ式ワイパ装置とされており、払拭位置の変化に伴ってワイパブレード４０の払拭姿勢が変化しながら、メイン払拭エリアを払拭できる。さらに、サブアーム２６には第２サブアーム４２及びサブブレード５０が連結されており、サブアームの回動動作と共にサブブレードが回動して、メイン払拭エリアとは独立しかつ部分的にオーバーラップするサブ払拭エリアを払拭できる。このとき、第２サブアームはメインアームやサブアームとは独立して支持軸４４周りに（払拭面と接離する方向に）回動可能であるため、ワイパブレードの払拭面への接触状態とは独立してサブブレードの払拭面への接触状態が得られる。【選択図】図１
2006044385.tif 000002
【特許請求の範囲】
【請求項１】
ピボット軸に取り付けられ前記ピボット軸と一体に回動すると共に払拭面と接離する方向に回動可能なメインアームと、前記ピボット軸近傍に設けられた従動軸に取り付けられ前記メインアームの回動動作に従動して回動すると共に払拭面と接離する方向に回動可能なサブアームと、前記メインアームと前記サブアームの先端に連結されたワイパブレードと、を有し、払拭位置の変化に伴って前記ワイパブレードの払拭姿勢が変化するパンタグラフ式のワイパ装置において、
払拭面と接離する方向に回動可能に前記メインアームまたは前記サブアームに連結された第２サブアームと、
前記第２サブアームの先端に取り付けられたサブブレードと、
を備えたことを特徴とするワイパ装置。
【請求項２】
前記サブブレードは、前記ワイパブレードの基端側に配置されている、ことを特徴とする請求項１記載のワイパ装置。
【請求項３】
前記サブブレードは、前記ワイパブレードと長手方向にオーバーラップして配置されている、ことを特徴とする請求項１または請求項２記載のワイパ装置。
【請求項４】
前記メインアームまたは前記サブアームは、払拭面方向に開口する断面コ字形に形成された収容部を有しており、
前記第２サブアームは、前記収容部内に配置されている、
ことを特徴とする請求項１乃至請求項３の何れか１項に記載のワイパ装置。
【請求項５】
前記メインアームは、一端がピボット軸に固定されたアームヘッドと、払拭面と接離する方向に回動可能に前記アームヘッドに支持されたメインアーム体と、前記アームヘッドと前記メインアーム体とに掛け渡され前記メインアーム及び前記サブアームを払拭面方向に付勢するメイン付勢部材と、を有し、
前記サブアームは、一端が従動軸に固定されたサブアームヘッドと、払拭面と接離する方向に回動可能に前記サブアームヘッドに支持されたサブアーム体と、を有し、
前記第２サブアームは、払拭面と接離する方向に回動可能に前記サブアームヘッドに支持された第２サブアーム体と、前記サブアームヘッドと前記第２サブアーム体とに掛け渡され前記第２サブアーム体を払拭面方向に付勢するたサブ付勢部材と、を有している、
ことを特徴とする請求項１乃至請求項４の何れか１項に記載のワイパ装置。
【請求項６】
前記第２サブアームの第２サブアーム体は、前記サブアームヘッドに対し、前記サブアームのサブアーム体の前記サブアームヘッドに対する支持軸とは独立しかつ軸径方向に沿って平行配置された支持軸によって支持されている、
ことを特徴とする請求項５記載のワイパ装置。
【請求項７】
前記第２サブアームの第２サブアーム体は、前記サブアームヘッドに対し、前記サブアームのサブアーム体の前記サブアームヘッドに対する支持軸とは独立しかつ同一軸線上に配置された支持軸によって支持されている、
ことを特徴とする請求項５記載のワイパ装置。
【請求項８】
前記メインアームは、一端がピボット軸に固定されたアームヘッドと、払拭面と接離する方向に回動可能に前記アームヘッドに支持されたメインアーム体と、前記アームヘッドと前記メインアーム体とに掛け渡され前記メインアーム及び前記サブアームを払拭面方向に付勢するメイン付勢部材と、を有し、
前記サブアームは、一端が従動軸に固定されたサブアームヘッドと、払拭面と接離する方向に回動可能に前記サブアームヘッドに支持されたサブアーム体と、を有し、
前記第２サブアームは、払拭面と接離する方向に回動可能に前記サブアーム体に支持された第２サブアーム体と、前記サブアームヘッドと前記第２サブアーム体とに掛け渡され前記第２サブアーム体を払拭面方向に付勢するたサブ付勢部材と、を有している、
ことを特徴とする請求項１乃至請求項４の何れか１項に記載のワイパ装置。
【請求項９】
前記第２サブアームの第２サブアーム体は、前記サブアーム体に対し、前記サブアームのサブアーム体の前記サブアームヘッドに対する支持軸とは独立しかつ軸径方向に沿って平行配置された支持軸によって支持されている、
ことを特徴とする請求項８記載のワイパ装置。
【発明の詳細な説明】
【技術分野】
【０００１】
本発明は自動車のウインドシールドガラス等を払拭する車両用のワイパ装置に関する。
【背景技術】
【０００２】
自動車のウインドシールドガラス等を払拭する車両用ワイパ装置は、一般的にワイパアームとこのワイパアームに保持されたワイパブレードとによって構成されているが、近年では大きな払拭エリアや駆動リンク機構の配置スペースの小型化が要求されており、そのため、メインアームとサブアームとによって四節連鎖機構を構成することでメインアームに対するワイパブレードの払拭姿勢が変化するパンタグラフ式のワイパ装置が提案されている（一例として、特許文献１参照）。
【０００３】
この種のパンタグラフ式のワイパ装置は、一端がピボット軸に固定されてピボット軸の回転によって回動されるメインアームと、ピボット軸近傍に軸支されてメインアームの回動動作に従動するサブアームとを備えており、メインアームとサブアームの先端に連結部材を介してワイパブレードが連結された構成となっている。このパンタグラフ式ワイパ装置では、メインアームとサブアームとが異なる２軸で支持されて回動軸が異なるために、ワイパブレードのメインアームに対する払拭姿勢が回動と共にサブアームによって制限（制御）されて、払拭位置の変化に伴ってワイパブレードの払拭姿勢が変化し、通常の円弧払拭範囲とは異なる払拭パターンを得ることができるものである。
【０００４】
したがって、近年の車両の如くガラス面が大型化及び湾曲化し、特にスポーツタイプの車両のようにガラス面が傾斜し更に大きな払拭エリアが要求される場合であっても、好適に対応することが可能である。また、例えば、エンジンや電装品の配置により２本のワイパアームをタンデム駆動させるためのリンク機構（平行連動式）の配置スペースが十分確保できないような場合であっても、適用することができる。
【０００５】
しかしながら、従来のパンタグラフ式のワイパ装置では、メインアーム及びサブアームの回動によって、車両前後方向に長い大きなガラス面をより広く払拭することができるものの、反面、ガラス面の下方エリアを十分に払拭できない（拭き残し部分が生じる）欠点があった。
【０００６】
この場合、前述の如き拭き残し部分を払拭すべく、ワイパブレードを単に長くしたり別の新たなブレードを単に追加固定する等が考えられる。
【０００７】
ところが、例えば別のブレードを単に追加固定する構成では、各ブレードの特に長手方向先端部分においてガラス面への接触状態が払拭位置の変化と共に異なってくるため、一方のブレードが他方のブレードの接触状態を悪化させてしまい、ガラス面の湾曲状態にうまく追従できず、依然として払拭ムラや拭き残し部分が生じて良好な払拭性能が得られない。
【特許文献１】実開平２−８００５４号公報
【発明の開示】
【発明が解決しようとする課題】
【０００８】
本発明は上記事実を考慮し、大型化（広範囲化）及び湾曲化した払拭面であっても当該払拭面へのワイパブレードの適正な接触状態が得られ、払拭ムラや拭き残しなどの発生を防止できて良好な払拭性能を得ることができるワイパ装置を得ることが目的である。
【課題を解決するための手段】
【０００９】
請求項１に係る発明のワイパ装置は、ピボット軸に取り付けられ前記ピボット軸と一体に回動すると共に払拭面と接離する方向に回動可能なメインアームと、前記ピボット軸近傍に設けられた従動軸に取り付けられ前記メインアームの回動動作に従動して回動すると共に払拭面と接離する方向に回動可能なサブアームと、前記メインアームと前記サブアームの先端に連結されたワイパブレードと、を有し、払拭位置の変化に伴って前記ワイパブレードの払拭姿勢が変化するパンタグラフ式のワイパ装置において、払拭面と接離する方向に回動可能に前記メインアームまたは前記サブアームに連結された第２サブアームと、前記第２サブアームの先端に取り付けられたサブブレードと、を備えたことを特徴としている。
【００１０】
請求項１記載のワイパ装置では、ピボット軸に取り付けられたメインアームが回動すると、従動軸に取り付けられたサブアームがメインアームの回動動作に従動して回動する。これにより、ワイパブレード（メインブレード）のメインアームに対する払拭姿勢が回動と共にサブアームによって制限（制御）されて、払拭位置の変化に伴ってワイパブレードの払拭姿勢が変化しながら、メイン払拭エリアを払拭する（円弧払拭範囲とは異なる払拭パターンが得られる）。
【００１１】
さらにこれと同時に、第２サブアームがピボット軸（メインアームに連結されている場合）または従動軸（サブアームに連結されている場合）の回動に伴って回動し、サブブレードによってメインブレードのメイン払拭エリアと実質異なる円弧状のサブ払拭エリアを払拭する。このとき、第２サブアームはメインアームまたはサブアームとは独立して払拭面と接離する方向に回動可能であるため、メインブレードの払拭面への接触状態とは独立してサブブレードの払拭面への接触状態が得られる。すなわち、メインブレードとサブブレードとは、互いに払拭面への接触状態が干渉し合うこと無く払拭動作する（メインブレードとサブブレードとが互いのガラス面への接触状態を悪化させてしまうことがない）。これにより、メインブレード及びサブブレードは共にガラス面の湾曲状態にうまく追従でき、払拭ムラや拭き残しなどの発生が防止され、良好な払拭性能を得ることができる。
【００１２】
このように、請求項１記載のワイパ装置では、大型化（広範囲化）及び湾曲化した払拭面であっても当該払拭面へのワイパブレードの適正な接触状態が得られ、払拭ムラや拭き残しなどの発生を防止できて良好な払拭性能を得ることができる。
【００１３】
請求項２に係る発明のワイパ装置は、請求項１記載のワイパ装置において、前記サブブレードは、前記ワイパブレードの基端側に配置されている、ことを特徴としている。
【００１４】
請求項２記載のワイパ装置では、サブブレードは、ワイパブレード（メインブレード）による払拭エリアの拡大を補完するための構成であるため、サブブレードをワイパブレードの先端側に配置する構成に比べて、サブブレードを支持する第２サブアームを短かなものとすることができる。
【００１５】
請求項３に係る発明のワイパ装置は、請求項１または請求項２記載のワイパ装置において、前記サブブレードは、前記ワイパブレードと長手方向にオーバーラップして配置されている、ことを特徴としている。
【００１６】
請求項３記載のワイパ装置では、ワイパブレードによって払拭されるメイン払拭エリアとサブブレードによって払拭されるサブ払拭エリアとが互いに端部で重複する重複エリアが形成される。この重複エリアによって、メイン払拭エリアの境界部分もしくはサブ払拭エリアの境界部分のスジ残り発生を抑制することができる。
【００１７】
請求項４に係る発明のワイパ装置は、請求項１乃至請求項３の何れか１項に記載のワイパ装置において、前記メインアームまたは前記サブアームは、払拭面方向に開口する断面コ字形に形成された収容部を有しており、前記第２サブアームは、前記収容部内に配置されている、ことを特徴としている。
【００１８】
請求項４記載のワイパ装置では、第２サブアームがメインアームまたはサブアームの収容部内に配置されているため、第２サブアームが目立たなくなると共に乗員の視界を遮ることがなく、しかも外観見栄えが向上する。
【００１９】
請求項５に係る発明のワイパ装置は、請求項１乃至請求項４の何れか１項に記載のワイパ装置において、前記メインアームは、一端がピボット軸に固定されたアームヘッドと、払拭面と接離する方向に回動可能に前記アームヘッドに支持されたメインアーム体と、前記アームヘッドと前記メインアーム体とに掛け渡され前記メインアーム及び前記サブアームを払拭面方向に付勢するメイン付勢部材と、を有し、前記サブアームは、一端が従動軸に固定されたサブアームヘッドと、払拭面と接離する方向に回動可能に前記サブアームヘッドに支持されたサブアーム体と、を有し、前記第２サブアームは、払拭面と接離する方向に回動可能に前記サブアームヘッドに支持された第２サブアーム体と、前記サブアームヘッドと前記第２サブアーム体とに掛け渡され前記第２サブアーム体を払拭面方向に付勢するたサブ付勢部材と、を有している、ことを特徴としている。
【００２０】
請求項５記載のワイパ装置では、メインアーム、サブアーム、及び第２サブアームがそれぞれ複数の部品によって構成されているため、各アームの長さや形状の自由度が大きくなる。
【００２１】
請求項６に係る発明のワイパ装置は、請求項５記載のワイパ装置において、前記第２サブアームの第２サブアーム体は、前記サブアームヘッドに対し、前記サブアームのサブアーム体の前記サブアームヘッドに対する支持軸とは独立しかつ軸径方向に沿って平行配置された支持軸によって支持されている、ことを特徴としている。
【００２２】
請求項６記載のワイパ装置では、第２サブアームの第２サブアーム体が、サブアーム体のサブアームヘッドに対する支持軸とは独立しかつ軸径方向に沿って平行配置された支持軸によって支持されているため、第２サブアームの第２サブアーム体をスリムな形状にすることが可能になる。
【００２３】
請求項７に係る発明のワイパ装置は、請求項５記載のワイパ装置において、前記第２サブアームの第２サブアーム体は、前記サブアームヘッドに対し、前記サブアームのサブアーム体の前記サブアームヘッドに対する支持軸とは独立しかつ同一軸線上に配置された支持軸によって支持されている、ことを特徴としている。
【００２４】
請求項７記載のワイパ装置では、第２サブアームの第２サブアーム体が、サブアーム体のサブアームヘッドに対する支持軸とは独立しかつ同一軸線上に配置された支持軸によって支持されているため、当該支持軸部分の構成を簡単なものとすることができる。
【００２５】
請求項８に係る発明のワイパ装置は、請求項１乃至請求項４の何れか１項に記載のワイパ装置において、前記メインアームは、一端がピボット軸に固定されたアームヘッドと、払拭面と接離する方向に回動可能に前記アームヘッドに支持されたメインアーム体と、前記アームヘッドと前記メインアーム体とに掛け渡され前記メインアーム及び前記サブアームを払拭面方向に付勢するメイン付勢部材と、を有し、前記サブアームは、一端が従動軸に固定されたサブアームヘッドと、払拭面と接離する方向に回動可能に前記サブアームヘッドに支持されたサブアーム体と、を有し、前記第２サブアームは、払拭面と接離する方向に回動可能に前記サブアーム体に支持された第２サブアーム体と、前記サブアームヘッドと前記第２サブアーム体とに掛け渡され前記第２サブアーム体を払拭面方向に付勢するたサブ付勢部材と、を有している、ことを特徴としている。
【００２６】
請求項８記載のワイパ装置では、メインアーム、サブアーム、及び第２サブアームがそれぞれ複数の部品によって構成されているため、各アームの長さや形状の自由度が大きくなる。
【００２７】
請求項９に係る発明のワイパ装置は、請求項８記載のワイパ装置において、前記第２サブアームの第２サブアーム体は、前記サブアーム体に対し、前記サブアームのサブアーム体の前記サブアームヘッドに対する支持軸とは独立しかつ軸径方向に沿って平行配置された支持軸によって支持されている、ことを特徴としている。
【００２８】
請求項９記載のワイパ装置では、第２サブアームの第２サブアーム体が、サブアーム体のサブアームヘッドに対する支持軸とは独立しかつ軸径方向に沿って平行配置された支持軸によって支持されているため、第２サブアームの第２サブアーム体をスリムな形状にすることが可能になる。
【発明を実施するための最良の形態】
【００２９】
図１には本発明の第１の実施の形態に係るワイパ装置１０の全体構成が一部破断した平面図にて示されており、図２にはワイパ装置１０の主要部分の構成が断面図にて示されている。
【００３０】
ワイパ装置１０は、メインアーム１２及びサブアーム２６を備えている。メインアーム１２は、一端がピボット軸１４に固定されたアームヘッド１６と、このアームヘッド１６に支持軸１８によって連結されたメインアーム体２０とを有した構成となっており、メインアーム１２はピボット軸１４と一体に回動する。また、メインアーム体２０は支持軸１８周りに（すなわち、払拭面と接離する方向に）回動可能となっている。このメインアーム体２０は、払拭面方向に開口する断面コ字形に形成されており、内方部分は収容部２２となっている。収容部２２にはメイン付勢部材としてのコイルスプリング２４が配置されている。このコイルスプリング２４は、アームヘッド１６とメインアーム体２０とに掛け渡されており、メインアーム１２を払拭面方向に付勢している。
【００３１】
一方、サブアーム２６は、ピボット軸１４近傍に設けられた従動軸２８に一端が取り付けられたサブアームヘッド３０と、このサブアームヘッド３０に支持軸３２によって連結されたサブアーム体３４とを有した構成となっており、サブアーム体３４は支持軸３２周りに（すなわち、払拭面と接離する方向に）回動可能となっている。このサブアーム体３４も、払拭面方向に開口する断面コ字形に形成されており、内方部分は収容部３６となっている。
【００３２】
メインアーム１２（メインアーム体２０）の先端部とサブアーム２６（サブアーム体３４）の先端部は連結部材３８によって互いに連結されており、これにより、サブアーム２６はメインアーム１２の回動動作に従動して従動軸２８周りに回動する。
【００３３】
メインアーム１２（メインアーム体２０）の先端部とサブアーム２６（サブアーム体３４）の先端部を連結する連結部材３８には、ワイパブレード４０（メインブレード）が取り付けられている。すなわち、ワイパ装置１０は基本的にパンタグラフ式ワイパ装置とされており、ピボット軸１４と共にメインアーム１２が回動すると、サブアーム２６がメインアーム１２の回動動作に従動して従動軸２８周りに回動し、これにより、ワイパブレード４０のメインアーム１２に対する払拭姿勢が回動と共にサブアーム２６によって制限（制御）されて、払拭位置の変化に伴ってワイパブレード４０の払拭姿勢が変化しながら、図３に示す如く、メイン払拭エリアＭＥを払拭する（円弧払拭範囲とは異なる払拭パターンが得られる）ように構成されている。
【００３４】
またさらに、このワイパ装置１０は、第２サブアーム４２を備えている。第２サブアーム４２は、サブアーム２６（サブアーム体３４）の収容部３６内に配置されている。第２サブアーム４２は、一端がサブアームヘッド３０に支持軸４４によって連結された第２サブアーム体４６を有した構成となっている。支持軸４４は、サブアーム２６のサブアーム体３４のサブアームヘッド３０に対する支持軸３２とは独立ししかも軸径方向に沿って平行配置されている。この第２サブアーム４２は、サブアーム２６（サブアームヘッド３０）の回動動作と共に（サブアーム２６と共に）従動軸２８周りに回動する。また、第２サブアーム体４６は支持軸４４周りに（すなわち、払拭面と接離する方向に）回動可能となっている。さらに、第２サブアーム体４６は、払拭面方向に開口する断面コ字形に形成されており、内方部分にはサブ付勢部材としてのコイルスプリング４８が配置されている。このコイルスプリング４８は、サブアームヘッド３０と第２サブアーム体４６とに掛け渡されており、第２サブアーム体４６を払拭面方向に付勢している。
【００３５】
また、第２サブアーム４２（第２サブアーム体４６）の先端には、サブブレード５０が取り付けられている。サブブレード５０は、ワイパブレード４０の基端側に配置されており、しかもワイパブレード４０と長手方向にオーバーラップして配置されている。このため、第２サブアーム４２（第２サブアーム体４６）がサブアーム２６と共に従動軸２８周りに回動すると、図３に示す如く、メイン払拭エリアＭＥとは独立しかつ部分的にオーバーラップするサブ払拭エリアＳＥを払拭するように（メイン払拭エリアＭＥとは独立した異なる円弧払拭範囲の払拭パターンが得られるように）構成されている。
【００３６】
次に本第１の実施の形態の作用を説明する。
【００３７】
上記構成のワイパ装置１０では、ピボット軸１４に取り付けられたメインアーム１２（メインアーム体２０）が回動すると、従動軸２８に取り付けられたサブアーム２６（サブアーム体３４）がメインアーム１２の回動動作に従動して回動する。これにより、ワイパブレード４０（メインブレード）のメインアーム１２に対する払拭姿勢が回動と共にサブアーム２６によって制限（制御）されて、払拭位置の変化に伴ってワイパブレード４０の払拭姿勢が変化しながら、図３に示す如く、メイン払拭エリアＭＥを払拭する（円弧払拭範囲とは異なる払拭パターンで払拭する）。
【００３８】
さらにこれと同時に、第２サブアーム４２がサブアーム２６の回動に伴って従動軸２８周りに回動し、図３に示す如く、サブブレード５０によってワイパブレード４０のメイン払拭エリアＭＥと実質異なる円弧状のサブ払拭エリアＳＥを払拭する。
【００３９】
このとき、第２サブアーム４２はメインアーム１２やサブアーム２６とは独立して支持軸４４周りに（払拭面と接離する方向に）回動可能であるため、ワイパブレード４０の払拭面への接触状態とは独立してサブブレード５０の払拭面への接触状態が得られる。すなわち、ワイパブレード４０とサブブレード５０とは、互いに払拭面への接触状態が干渉し合うこと無く払拭動作する（ワイパブレード４０とサブブレード５０とが互いのガラス面への接触状態を悪化させてしまうことがない）。これにより、ワイパブレード４０及びサブブレード５０は共にガラス面の湾曲状態にうまく追従でき、払拭ムラや拭き残しなどの発生が防止され、良好な払拭性能を得ることができる。
【００４０】
しかもこの場合、サブブレード５０は、ワイパブレード４０の基端側に配置されており、ワイパブレード４０（メインブレード）によるメイン払拭エリアＭＥの拡大を補完するための構成（サブ払拭エリアＳＥを払拭する構成）であるため、サブブレード５０をワイパブレード４０の先端側に配置する構成に比べて、サブブレード５０を支持する第２サブアーム４２を短かなものとすることができる。
【００４１】
またさらに、このサブブレード５０は、ワイパブレード４０と長手方向にオーバーラップして配置されているため、ワイパブレード４０によって払拭されるメイン払拭エリアＭＥとサブブレード５０によって払拭されるサブ払拭エリアＳＥとが互いに端部で重複する重複エリアＤＥが形成される。この重複エリアＤＥによって、メイン払拭エリアＭＥの境界部分もしくはサブ払拭エリアＳＥの境界部分のスジ残り発生を抑制することができる。
【００４２】
このように、本第１の実施の形態に係るワイパ装置１０では、大型化（広範囲化）及び湾曲化した払拭面であっても当該払拭面へのワイパブレード４０及びサブブレード５０の適正な接触状態が得られ、払拭ムラや拭き残しなどの発生を防止できて良好な払拭性能を得ることができる。
【００４３】
しかも、第２サブアーム４２（第２サブアーム体４６）は、サブアーム２６（サブアーム体３４）の払拭面方向に開口する断面コ字形に形成された収容部２２内に配置されているため、第２サブアーム４２が目立たなくなると共に乗員の視界を遮ることがなく、しかも外観見栄えが向上する。
【００４４】
また、メインアーム１２、サブアーム２６、及び第２サブアーム４２がそれぞれ複数の部品によって構成されているため、各アームの長さや形状の自由度が大きくなる。
【００４５】
また、第２サブアーム４２の第２サブアーム体４６は、サブアームヘッド３０に対し、サブアーム２６のサブアーム体３４のサブアームヘッド３０に対する支持軸３２とは独立しかつ軸径方向に沿って平行配置された支持軸４４によって支持されているため、第２サブアーム４２の第２サブアーム体４６をスリムな形状にすることが可能になる。
【００４６】
なお、前記第１の実施の形態においては、第２サブアーム４２をサブアーム２６（サブアームヘッド３０）に連結した構成としたが、これに限らず、第２サブアーム４２をメインアーム１２（アームヘッド１６）に連結する構成としてもよい。
【００４７】
次に、本発明の他の実施の形態を説明する。
【００４８】
なお、前記第１の実施の形態と基本的に同一の部品には前記実施の形態と同一の符号を付与してその説明を省略する。
【００４９】
図４には、第２の実施の形態に係るワイパ装置６０の全体構成が一部破断した平面図にて示されており、図５にはワイパ装置６０の主要部分の構成が断面図にて示されている。
【００５０】
このワイパ装置６０は、第２サブアーム６２を備えている。第２サブアーム６２は、前記第１の実施の形態に係る第２サブアーム４２と同様の構成であり、第２サブアーム体６４を有した構成となっており、サブアーム２６（サブアーム体３４）の収容部３６内に配置されている。さらに、この第２サブアーム６２の第２サブアーム体６４は、一端がサブアーム体３４に一対の支持軸６６によって支持されている。各支持軸６６は、サブアーム２６のサブアーム体３４のサブアームヘッド３０に対する支持軸３２とは独立ししかも軸径方向に沿って平行配置されている。
【００５１】
他の構成は、前記第１の実施の形態に係るワイパ装置１０と同様である。
【００５２】
上記構成の第２の実施の形態に係るワイパ装置６０においても、前記第１の実施の形態に係るワイパ装置１０と同様の作用・効果を奏し、大型化（広範囲化）及び湾曲化した払拭面であっても当該払拭面へのワイパブレード４０及びサブブレード５０の適正な接触状態が得られ、払拭ムラや拭き残しなどの発生を防止できて良好な払拭性能を得ることができる。
【００５３】
なお、本第２の実施の形態においても、第２サブアーム６２をメインアーム１２（メインアーム体２０）に連結する構成としてもよい。
【００５４】
図６には、第３の実施の形態に係るワイパ装置７０の全体構成が一部破断した平面図にて示されている。
【００５５】
このワイパ装置７０は、第２サブアーム７２を備えている。第２サブアーム７２は、前記第１の実施の形態に係る第２サブアーム４２と同様の構成であり、第２サブアーム体７４を有した構成となっているが、当該第２サブアーム７２は、サブアーム２６（サブアーム体３４）の外側に配置されている。すなわち、この第２サブアーム７２の第２サブアーム体７４は、一端がサブアームヘッド３０に支持軸７６によって支持されている。支持軸７６は、サブアーム２６のサブアーム体３４のサブアームヘッド３０に対する支持軸３２とは独立ししかも同一軸線上に配置されている。
【００５６】
これにより、ワイパ装置７０は、メインアーム１２、サブアーム２６、及び第２サブアーム７２が互いに並列配置された構成となっており、メインアーム体２０の支持軸１８、サブアーム体３４の支持軸３２、及び第２サブアーム体７４の支持軸７６は、同一軸線上に配置された構成となっている。
【００５７】
他の構成は、前記第１の実施の形態に係るワイパ装置１０と同様である。
【００５８】
上記構成の第３の実施の形態に係るワイパ装置７０においても、前記第１の実施の形態に係るワイパ装置１０と同様の作用・効果を奏し、大型化（広範囲化）及び湾曲化した払拭面であっても当該払拭面へのワイパブレード４０及びサブブレード５０の適正な接触状態が得られ、払拭ムラや拭き残しなどの発生を防止できて良好な払拭性能を得ることができる。また特に、第２サブアーム７２の第２サブアーム体７４を支持する支持軸７６が、サブアーム２６のサブアーム体３４のサブアームヘッド３０に対する支持軸３２とは独立ししかも同一軸線上に配置された構成であるため、当該支持軸部分の構成を簡単なものとすることができる。
【００５９】
なお、本第３の実施の形態においても、第２サブアーム７２をメインアーム１２（アームヘッド１６）に連結する構成としてもよい。
【図面の簡単な説明】
【００６０】
【図１】本発明の第１の実施の形態に係るワイパ装置の全体構成を示す一部破断した平面図である。
【図２】本発明の第１の実施の形態に係るワイパ装置の主要部分の構成を示す断面図である。
【図３】本発明の第１の実施の形態に係るワイパ装置の払拭エリアを示す平面図である。
【図４】本発明の第２の実施の形態に係るワイパ装置の全体構成を示す一部破断した平面図である。
【図５】本発明の第１の実施の形態に係るワイパ装置の主要部分の構成を示す断面図である。
【図６】本発明の第３の実施の形態に係るワイパ装置の全体構成を示す一部破断した平面図である。
【符号の説明】
【００６１】
１０・・・ワイパ装置、１２・・・メインアーム、１４・・・ピボット軸、１６・・・アームヘッド、１８・・・支持軸、２０・・・メインアーム体、２２・・・収容部、２４・・・コイルスプリング、２６・・・サブアーム、２８・・・従動軸、３０・・・サブアームヘッド、３２・・・支持軸、３４・・・サブアーム体、３６・・・収容部、３８・・・連結部材、４０・・・ワイパブレード、４２・・・第２サブアーム、４４・・・支持軸、４６・・・第２サブアーム体、４８・・・コイルスプリング、５０・・・サブブレード
【図１】
2006044385.tif 000003
【図２】
2006044385.tif 000004
【図３】
2006044385.tif 000005
【図４】
2006044385.tif 000006
【図５】
2006044385.tif 000007
【図６】
2006044385.tif 000008